(57)【要約】【課題】カラー、モノクロいずれのモードが選択されているかをより確認できるようにして、本当にカラー印刷したい原稿だけをカラーモードで処理することのできるカラー画像読取記録装置を提供する。【解決手段】カラーモードを実行する前には、所定の報知をし、その後、所定操作がなされたときには、カラーモードを実行し、原稿をカラー画像データとして読み取り印字出力する制御手段１を備える。【選択図】図１
2004173068.tif 000002
【特許請求の範囲】
【請求項１】
原稿をカラー画像データとして読み取り印字出力するカラーモードと、モノクロ画像データとして読み取り印字出力するモノクロモードとを選択的に実行するカラー画像読取記録装置において、上記カラーモードを実行する前には、所定の報知をし、その後、所定操作がなされたときには、上記カラーモードを実行し、上記原稿をカラー画像データとして読み取り印字出力する制御手段を備えるカラー画像読取記録装置。
【請求項２】
請求項１において、外部情報端末から画像データを入力するための入力手段と、この入力手段を通じて入力された画像データが、カラー画像データかモノクロ画像データかを判別する手段とを更に備えており、上記制御手段は、上記入力手段を通じて入力された画像データがカラー画像データと判別されたときには、所定の報知をし、その後、所定操作がなされたときには、上記カラー画像データを印字出力することを特徴とするカラー画像読取記録装置。
【請求項３】
請求項１または請求項２に記載されたカラー画像読取記録装置を組み込んで構成したことを特徴とするファクシミリ装置。
【発明の詳細な説明】
【０００１】
【発明の属する技術分野】
本発明は、カラー画像読取記録装置、および、これを組み込んで構成したファクシミリ装置に関する。
【０００２】
【従来の技術】
従来より、下記特許文献１に示すような装置は広く使用されている。
【０００３】
この種の装置では、使用者の選択操作に応じて、原稿をカラー画像データとして読み取り印字出力するカラーモードと、モノクロ画像データとして読み取り印字出力するモノクロモードとを選択的に実行することができる。
【０００４】
このものでは、使用者に対して、どのモードが選択されているかを、選択キーの発光態様を変えるなどして知らせている。
【０００５】
【特許文献１】
特開２００２−９１１１１号
【発明が解決しようとする課題】
ところで、上記した従来の装置では、使用者に対し、どのモードが選択されているかを、選択キーの発光態様を変えて知らせているとはいえ、それでもなお、使用者が、モード選択を間違えるおそれがあり、特に、モノクロモードを選択したいにもかかわらず、カラーモードが選択されてしまえば、原稿はカラー印刷されてしまい、カラーインクの無駄や印刷時間に時間がかかるなどの諸問題が発生してしまう。
【０００６】
そこで、本発明は、カラー、モノクロいずれのモードが選択されているかを、一層容易に確認できるようにして、本当にカラー印刷したい原稿だけをカラーモードで処理することのできるカラー画像読取記録装置、および、これを組み込んで構成したファクシミリ装置を提供することを目的としている。
【０００７】
【課題を解決するための手段】
上記目的を達成するために、本発明の請求項１に記載のカラー画像読取記録装置では、いわゆるコピー装置を提案しており、カラーモードを実行する前には、所定の報知をし、その後、所定操作がなされたときには、カラーモードを実行し、原稿をカラー画像データとして読み取り印字出力する制御手段を備える。
【０００８】
請求項２に記載のカラー画像読取記録装置では、請求項１の付加機能、つまり、プリンタ機能を有するコピー装置を提案しており、外部情報端末から画像データを入力するための入力手段と、この入力手段を通じて入力された画像データが、カラー画像データかモノクロ画像データかを判別する手段とを更に備えており、制御手段は、入力手段を通じて入力された画像データがカラー画像データと判別されたときには、所定の報知をし、その後、所定操作がなされたときには、カラー画像データを印字出力することを特徴とする。
【０００９】
請求項３に記載のファクシミリ装置では、請求項１または請求項２に記載されたカラー画像読取記録装置を組み込んで構成したことを特徴とする。すなわち、このファクシミリ装置によれば、請求項１または請求項２の構成を組み込んでいる。
【００１０】
【発明の実施の形態】
以下に、本発明の実施の形態について、図面とともに説明する。
【００１１】
図１は、本発明のカラー画像読取記録装置の内部構成の一例を示す図である。なお、本実施の形態では、カラー画像読取記録装置をファクシミリ装置Ｆで構成しているが、この例には限られず、原稿をカラー、モノクロいずれかを選択して読み取り、カラー印刷もしくはモノクロ印刷できる装置であればよい。
【００１２】
このファクシミリ装置Ｆは、以下の各部を制御する制御手段としてのＣＰＵ１と、電話回線Ｌに対する接続制御をするＮＣＵ２と、ファクシミリ通信に必要な各種信号を変復調するモデム３と、短縮ダイヤルなどを記憶するＲＡＭ４と、このファクシミリ装置Ｆが動作するのに必要なプログラムなどを記憶するＲＯＭ５と、ファクシミリ受信した画像データや、ファクシミリ送信予定の画像データなどを一時格納する画像メモリ６と、セットされた原稿を、後述するカラーモードあるいはモノクロモードで読み取り、カラー画像データあるいはモノクロ画像データとするスキャナ７と、液晶画面などで構成される表示部８と、各種操作キーで構成される操作部９と、スキャナ７により読み取った画像データや、画像メモリ６内の画像データが、カラー画像データかモノクロ画像データかを判別するカラー／モノクロ自動判別手段を構成する自動判別部１０と、画像データの符号化、復号をするコーデック１１と、カラープリンタ１２と、入力手段を構成し、パソコンなどの外部情報端末を接続するためのインタフェース１３と、カラーからモノクロもしくはモノクロからカラーへと、画像データの種類を相互に変換するカラー／モノクロ変換部１４とを備える。
【００１３】
操作部９は、カラーモード選択キー９Ａとモノクロモード選択キー９Ｂとを備える。
カラーモード選択キー９Ａが操作され、原稿の読取指示がされると、スキャナ７によって原稿をカラー画像データ（ＲＧＢ三色データなど）として読み取る。
【００１４】
一方、モノクロモード選択キー９Ｂが操作され、原稿の読取指示がされると、スキャナ７によって原稿をモノクロ画像データ（二値データや多値多階層データ）として読み取る。
カラー／モノクロ自動判別部１０は、画像メモリ６内の画像データ、すなわち、ファクシミリ受信したり、外部情報端末からインタフェース１３を通じて入力された画像データがカラーかモノクロかを判別する。すなわち、原稿の画像データがＲＧＢ三色データなどで構成された画像データはカラーと判別する一方、そうでない画像データ、すなわち、二値データや多値多階層データなどで構成された画像データはモノクロと判別する。
【００１５】
インタフェース１３には、ＲＳ−２３２Ｃなどの規格を有するケーブルを通じて、外部情報端末が接続される。なお、有線に限られずワイヤレス接続してもよい。また、１対１の通信ではなく、ＬＡＮを通じた通信として、１対多の通信をしてもよい。
【００１６】
このような構成によれば、コピー機能、ファクシミリ機能、プリンタ機能、スキャナ機能を実行でき、いわゆる、複合機としての機能を備える。
すなわち、コピー機能では、スキャナ７で読み取ったカラー画像データやモノクロ画像データをプリンタ１２より印字出力する。
【００１７】
ファクシミリ機能では、電話回線Ｌ、ＮＣＵ２、モデム３を通じて受信した画像データを画像メモリ６に格納し、それをコーデック１１で復号してプリンタ１２で印字出力する。また、スキャナ７で読み取った画像データを、コーデック１１で符号化して画像メモリ６に格納し、それを相手先に対して、モデム３、ＮＣＵ２、電話回線Ｌを通じて送出する。
【００１８】
プリンタ機能では、インタフェース１３を通じて外部情報端末から受信した画像データを、画像メモリ６に格納し、それをプリンタ１２で印字出力する。なお、インタフェース１３がＬＡＮなどの通信ネットワークに接続できる仕様であれば、本機能はネットワークプリンタとしての機能といえる。
【００１９】
スキャナ機能では、スキャナ７で読み取ったカラー画像データやモノクロ画像データを、インタフェース１３を通じて外部情報端末に送出する。なお、インタフェース１３がＬＡＮなどの通信ネットワークに接続できる仕様であれば、本機能はネットワークスキャナとしての機能といえる。
【００２０】
このような基本機能を備える本発明の特徴的な処理について、以下に説明する。まず、コピー装置としての処理を図２とともに説明する。
ファクシミリ装置Ｆは、コピー指示、つまり、原稿の読取指示がされると（１００，Ｙ）、そのときのモード選択状態がカラーモードであるかモノクロモードであるかを判別する（１０１）。すなわち、ファクシミリ装置Ｆは、カラーモード選択キー９Ａが操作されたか、モノクロモード選択キー９Ｂが操作されたかを判別する。
【００２１】
そして、カラーモードが選択されているときには（１０１，Ｙ）、「カラーでコピーします」などといった報知をする（１０２）。
【００２２】
報知をしてからは、所定時間のカウントを行い、その時間内に（１０３，Ｎ）、報知を受けた使用者が、所定の確認操作、例えば、スタートキー（不図示）の操作をすれば（１０４，Ｙ）、カラーコピーを実行し、スキャナ７により原稿を読み取り、カラー画像データを形成して、それをプリンタ１２より印字出力する（１０５）。
【００２３】
一方、スタートキー操作がされることなく所定時間が経過すれば（１０３，Ｙ）、モード選択状態をモノクロモードに切り替えて（１０６）、スキャナ７により原稿を読み取り、モノクロ画像データを形成して、それをプリンタ１２より印字印刷する（１０７）
また、カラーモードではなくモノクロモードが選択されているときには（１０１，Ｎ）、モノクロコピーを実行し、スキャナ７により原稿を読み取り、モノクロ画像データを形成して、それをプリンタ１２より印字印刷する（１０７）。
次に、プリンタとしての処理を図３とともに説明する。
【００２４】
ファクシミリ装置Ｆは、外部情報端末から画像データ入力があると（２００）、その画像データを一旦画像メモリ６に格納し、カラー／モノクロ自動判別部１０により、その画像データが、カラーかモノクロかを判別する（２０１）。
【００２５】
そして、画像データがカラーであれば（２０２，Ｙ）、「カラーでプリントします」などといった報知をする（２０３）。
【００２６】
報知をしてからは、所定時間のカウントを行い、その時間内に（１０４，Ｎ）、報知を受けた使用者が、所定の確認操作、例えば、スタートキー（不図示）の操作をすれば（２０５，Ｙ）、カラープリントを実行し、画像メモリ６からカラー画像データを読み出して印字出力する（２０６）。
【００２７】
一方、スタートキー操作がされることなく所定時間が経過すれば（２０４，Ｙ）、画像メモリ６内のカラー画像データをモノクロ画像データに変換して（２０７）、それをプリンタ１２で印字出力する（２０８）。
【００２８】
また、入力された画像データが、カラーではなくモノクロであれば（２０２，Ｎ）、画像メモリ６内のモノクロ画像データをプリンタ１２で印字出力する（２０８）。
【００２９】
【発明の効果】
以上説明したように、本発明の請求項１では、カラーモードを実行する前には、所定の報知をし、その後、所定操作がなされたときには、カラーモードを実行し、原稿をカラー画像データとして読み取り印字出力するので、カラー、モノクロいずれのモードが選択されているかを一層確認しやすく、本当にカラー印刷したい原稿だけをカラーモードで処理することができる。
【００３０】
請求項２に記載のカラー画像読取記録装置では、外部情報端末より入力手段を通じて入力された画像データがカラー画像データと判別されたときには、所定の報知をし、その後、所定操作がなされたときには、カラー画像データを印字出力するので、入力された画像データがカラーであることを容易に確認し、本当にカラー印刷したいものだけをカラー印刷することができる。
【００３１】
請求項３に記載のファクシミリ装置では、請求項１または請求項２に記載されたカラー画像読取記録装置を組み込んで構成しているので、請求項１または請求項２の効果を奏するファクシミリ装置を提供することができる。
【図面の簡単な説明】
【図１】本発明の内部構成の一例を示すブロック図
【図２】コピー装置としての動作を示すフローチャート
【図３】プリンタとしての動作を示すフローチャート
【符号の説明】
Ｆ・・・ファクシミリ装置
１・・・ＣＰＵ
１０・・・カラー／モノクロ自動判別部
１３・・・インタフェース
【図１】
2004173068.tif 000003
【図２】
2004173068.tif 000004
【図３】
2004173068.tif 000005